【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
遠位面（３５）と、
前記遠位面とは概ね反対側に位置し、外側区画（２０）と内側区画（２２）を有する近位面（３４）と、
前記遠位面と前記近位面との間を延びる周壁（２５）と、を備え、
前記周壁が、
前縁（２０２）と、
前記前縁とは概ね反対側に位置し、前記外側区画の後方境界線を形成する外側後縁（２０４）と、
前記前縁とは概ね反対側に位置し、前記内側区画の後方境界線を形成する内側後縁（２０６）と、
前記前縁から前記外側後縁まで延び、複数の隣り合う外側円弧（２０８、２１０、２１２、２１４、２１６）を規定する外側外周と、
前記前縁から前記内側後縁まで延び、複数の隣り合う内側円弧（２２０、２２２、２２４）を規定する内側外周と、を規定し、
前記複数の隣り合う外側円弧のうちの隣り合う１つのペアが、それぞれ第１の外側半径と第２の外側半径を規定し、前記第１の外側半径が前記第２の外側半径より少なくとも１００％大きく、
前記複数の隣り合う内側円弧のうちの隣り合う１つのペアが、それぞれ第１の内側半径と第２の内側半径を規定し、前記第１の内側半径が前記第２の内側半径より７５％未満大きい、人工脛骨（１０）。
【請求項２】
前記外側外周が、
前記前縁（２０２）に対して実質的に垂直な接線（２１２Ａ）を規定し、外側縁半径（Ｒ３Ｌ）を規定する、外側縁（２１２）と、
前記前縁と前記外側縁との間にある角度掃引範囲（２Ｌ）を占める前−外側コーナーと、を備え、
前記前−外側コーナーが前−外側コーナー半径（Ｒ２Ｌ）を規定し、前記外側縁半径が、前記前−外側コーナー半径よりも少なくとも４２％大きい、請求項１に記載の人工脛骨。
【請求項３】
前記外側縁半径（Ｒ３Ｌ）が、前記前−外側コーナー半径（Ｒ２Ｌ）より最大で１４２％大きい、請求項２に記載の人工脛骨。
【請求項４】
前記外側外周が、
前記前縁（２０２）に対して実質的に垂直な接線（２１２Ａ）を規定し、外側縁半径（Ｒ３Ｌ）を規定する、外側縁（２１２）と、
前記外側後縁（２０４）と前記外側縁との間にある角度掃引範囲（４Ｌ）を占める、後−外側コーナーと、を備え、
前記後−外側コーナーが後−外側コーナー半径（Ｒ４Ｌ）を規定し、前記外側縁半径が、前記後−外側コーナー半径より少なくとも１９８％大きい、請求項１に記載の人工脛骨。
【請求項５】
前記外側縁半径（Ｒ３Ｌ）が前記後−外側コーナー半径（Ｒ４Ｌ）より最大で３２４％大きい、請求項４に記載の人工脛骨。
【請求項６】
前記内側外周が、
前記前縁（２０２）に対して実質的に垂直な接線（２２２Ａ）を規定し、内側縁半径（Ｒ２Ｒ）を規定する、内側縁（２２２）と、
前記前縁と前記内側縁との間にある角度掃引範囲（２Ｒ）を占める前−内側コーナーと、を備え、
前記前−内側コーナーが前−内側コーナー半径（Ｒ１Ｒ）を規定し、前記内側縁半径が、その前−内側コーナー半径より最大で７４％大きい、請求項１に記載の人工脛骨。
【請求項７】
前記内側外周が、
前記前縁（２０２）に対して実質的に垂直な接線（２２２Ａ）を規定し、内側縁半径（Ｒ２Ｒ）を規定する、内側縁（２２２）と、
前記後縁と前記内側縁との間にある角度掃引範囲（３Ｒ）を占める後−内側コーナーと、を備え、
前記後−内側コーナーが後−内側コーナー半径（Ｒ３Ｒ）を規定し、前記内側縁半径（Ｒ２Ｒ）が、前記後−内側コーナー半径より最大で６１％大きい、請求項１に記載の人工脛骨。
【請求項８】
前記複数の隣り合う外側円弧（２０８、２１０、２１２、２１４、２１６）のそれぞれが、外側半径のそれぞれの値（Ｒ１Ｌ、Ｒ２Ｌ、Ｒ３Ｌ、Ｒ４Ｌ、ＲＬ５）を規定し、それぞれの半径の値が他の半径の値とすべて異なる、請求項１に記載の人工脛骨。
【請求項９】
前記外側外周が、
前記前縁（２０２）に対して実質的に垂直な接線（２１２Ａ）を有する外側縁（２１２）と、
前記前縁と前記後縁との間にある角度掃引範囲（２Ｌ）を占める前−外側コーナーと、
前記前縁と前記前−外側コーナーとの間にあって前記複数の隣り合う外側円弧のうちの１つを規定するアーチ状前区画（２０８）と、を備える、請求項１に記載の人工脛骨。
【請求項１０】
前記外側外周が、
前記前縁（２０２）に対して実質的に垂直な接線（２１２Ａ）を規定する外側縁（２１２）と、
前記前縁（２０２）と前記外側縁（２１２）との間にある第１の角度掃引範囲（２Ｌ）を占め、前−外側コーナー半径（Ｒ２Ｌ）を規定する、前−外側コーナーと、を備え、
前記内側外周が、
前記前縁（２０２）に対して実質的に垂直な接線（２２２Ａ）を規定する内側縁（２２２）と、
前記前縁と前記内側縁との間にある第２の角度掃引範囲（１Ｒ）を占め、前−内側コーナー半径（Ｒ１Ｒ）を規定する、前−内側コーナーと、を備え、
前記第１の角度掃引範囲が前記第２の角度掃引範囲と類似し、前記前−内側コーナー半径が前記前−外側コーナー半径よりも大きい、請求項１に記載の人工脛骨。
【請求項１１】
前記前−内側コーナー半径（Ｒ１Ｒ）が前記前−外側コーナー半径（Ｒ２Ｌ）より少なくとも４８％大きい、請求項１０に記載の人工脛骨。
【請求項１２】
前記前−内側コーナー半径（Ｒ１Ｒ）が前記前−外側コーナー半径（Ｒ２Ｌ）より最大で１４９％大きい、請求項１０に記載の人工脛骨。
【請求項１３】
脛骨ベースプレート（１２）を備える、請求項１に記載の人工脛骨（１０）。
【請求項１４】
脛骨ベースプレート（１２）と脛骨支持部品（１４）とを備え、前記脛骨ベースプレートが、第１の径方向中心（Ｃ２Ｌ）を有する前−外側コーナー半径（Ｒ２Ｌ）を規定する前−外側コーナーと、第２の径方向中心（Ｃ１Ｒ）を有する前−内側コーナー半径（Ｒ１Ｒ）を規定する前−内側コーナーと、を含み、前記脛骨支持部品が、
第３の径方向中心を有する第３の半径（Ｒ３）を規定する前−外側支持コーナーを規定する外側部（３９）と、
第４の径方向中心を有する第４の半径（Ｒ４）を規定する前−内側支持コーナーを規定する内側部（４１）と、を備え、
前記脛骨支持部品が前記脛骨ベースプレートに取り付けられたときに前記第３の径方向中心が横断面内で前記第１の径方向中心と実質的に一致し、前記第３の半径は前記前−外側コーナー半径より小さく、
前記脛骨支持部品が前記脛骨ベースプレートに取り付けられたときに前記第４の径方向中心が横断面内で前記第２の径方向中心と実質的に一致し、前記第４の半径は前記前−内側コーナー半径より小さく、前記第３の半径より実質的に大きい、請求項１に記載の人工脛骨（１０）。
【請求項１５】
前記内側区画（２２）が、前記周壁（２５）の前記前縁（２０２）から前記内側後縁（２０６）まで延びる内側前後長（ＤＡＰＭ）を規定し、
前記外側区画（２０）が、前記周壁の前記前縁から前記外側後縁（２０４）まで延びる外側前後長（ＤＡＰＬ）を規定し、
前記内側前後長が前記外側前後長より長い、請求項１に記載の人工脛骨。
【請求項１６】
前記外側外周が、前後軸に対して前記内側外周と非対称である、請求項１に記載の人工脛骨。
【請求項１７】
請求項１６に記載の人工脛骨において、前記人工脛骨が脛骨に取り付けられるときに前記前後軸が身体軸と揃い、前記身体軸は、
後十字靭帯と脛骨との間の付着領域の幾何学的中心にある後方点（ＣP）から
脛骨の前結節（Ｂ）に配置される前方点まで、延びる直線として規定され、前記結節は結節幅（Ｗ）を有し、前記前方点（ＣA）は、前記結節で脛骨の中点（ＰT）からＷ／６に等しい距離だけ内側方向に離れた位置に配置される、人工脛骨。
【請求項１８】
前記外側外周と前記内側外周との間にあって、前記前縁（２０２）とは概ね反対側に位置するＰＣＬ切除領域（２８、３０）を含み、
前記前後軸が前記前縁を二分し、かつ前記ＰＣＬ切除領域を二分する、請求項１６に記載の人工脛骨。
【請求項１９】
前記内側外周が前記前後軸と協働して内側表面積（ＳＡＭ）を取り囲み、
前記外側外周が前記前後軸と協働して外側表面積（ＳＡＬ）を取り囲み、
前記内側表面積が前記外側表面積より広い、請求項１８に記載の人工脛骨。
【請求項２０】
前記外側外周が、第１の径方向中心（Ｃ２Ｌ）を有する前−外側コーナー半径（Ｒ２Ｌ）を規定する前−外側コーナーを含み、
前記内側外周が、第２の径方向中心（Ｃ１Ｒ）を有する前−内側コーナー半径（Ｒ１Ｒ）を規定する前−内側コーナーを含み、
内側外側軸（ＡML）が、前記周壁（２５）によって取り囲まれ、さらに前記前後軸に垂直な最長の線分を規定し、
前記第１の径方向中心は、前記内側外側軸と前記前縁（２０２）との間に配置され、前記第２の径方向中心は、前記内側外側軸の後方に配置される、請求項１６に記載の人工脛骨。
【請求項２１】
脛骨の切除された近位面の約６０％〜約９０％を覆うサイズ及び形状に形成され、脛骨の面の外周と前記周壁（２５）との間の全ての側部に緩衝ゾーンを作り出す、請求項１に記載の人工脛骨。
【請求項２２】
遠位面（３５）と、
前記遠位面とは概ね反対側に位置する近位面（３４）と、
前記遠位面と前記近位面との間を延びる周壁（２５）と、を備え、
前記周壁が、
前縁（２０２）と、
外側外周と、
内側外周と、を規定し、
前記外側外周は、
前記前縁に対して実質的に垂直な接線（２１２Ａ）を規定する外側縁（２１２）と、
前記前縁と前記外側縁との間にある角度掃引範囲（２Ｌ）を占め、前−外側コーナー縁の長さを規定する前−外側コーナーと、
前記外側縁及び前記前−外側コーナーから離れる方向に延びる後−外側コーナーと、を含み、
前記内側外周は、
前記前縁に対して実質的に垂直な接線（２２２Ａ）を規定する内側縁（２２２）と、
前記前縁と前記内側縁との間にある角度掃引範囲（１Ｒ）を占め、前記前−外側コーナー縁よりも長い前−内側コーナー縁の長さを規定する前−内側コーナーと、
前記内側縁及び前記前−内側コーナーから離れる方向に延びる後−内側コーナーと、を含み、
前記前縁と前記内側縁との間の角度掃引範囲が、前記前縁と前記外側縁との間の角度掃引範囲と類似する、人工脛骨（１０）。
【請求項２３】
非対称なプロテーゼ外周を備え、前記プロテーゼ外周が、
前記プロテーゼ外周（２００）を内側区画と外側区画とに分割する前後軸と、
前記内側区画と前記外側区画との間に配置された前縁（２０２）と、
前記前縁とは概ね反対側に位置し、前記外側区画の後方境界線を形成する外側後縁（２０４）と、
前記前縁とは概ね反対側に位置し、前記内側区画の後方境界線を形成する内側後縁（２０６）と、を備え、
外側外周が前記前縁から前記外側後縁まで延び、前記外側外周が、
前−外側円弧中心（Ｃ２Ｌ）を有する前−外側円弧（２１０）と、
外側円弧中心（Ｃ３Ｌ）を有し前記前後軸に対して平行な接線（２１２Ａ）を規定する外側円弧（２１２）と、を規定し、
内側外周が前記前縁から前記内側後縁まで延び、前記内側外周が、
前−内側円弧中心（Ｃ１Ｒ）を有する前−内側円弧（２２０）と、
内側円弧中心（Ｃ２Ｒ）を有し前記前後軸に対して平行な接線（２２２Ａ）を規定する内側円弧（２２２）と、を規定し、
内側外側軸（ＡML）が、前記プロテーゼ周壁の中にあってさらに前記前後軸に垂直な最長の線分を規定し、
前記前−外側円弧中心は、前記内側外側軸と前記前縁との間に配置され、
前記前−内側円弧中心は、前記内側外側軸の後方に配置される、人工脛骨。